(57)【特許請求の範囲】
【請求項１】
電気部品と、互いに所定の隙間を保持して同一平面に対向して配置された複数の金属板と、該複数の金属板のうち少なくとも２個の金属板間に架橋された照光部材とを備え、前記複数の金属板は、平面部を有する１つの共通の金属板と２つの導通端子付きの金属板でコの字状に配置され、前記各々の金属板が中央部に貫通穴を有し、合成樹脂より成る成形体で一体化されると共に、前記少なくとも２個の金属板には、前記照光部材を取り付けるための接続端子部を設け、前記照光部材を前記２個の金属板に半田付けすることにより前記導通端子付きの金属板と前記共通の金属板とを前記照光部材により電気的に接続し、前記複数の金属板に係止部を設け、該係止部を前記電気部品に係止すると共に、前記照光部材を前記電気部品の操作軸側に配置したことを特徴とする表示装置。
【請求項２】
前記金属板には前記照光部材を取り付けるための載置部を有すると共に、前記金属板の前記接続端子部を切り起こした突起で形成し、この突起に前記照光部材を半田付けにより取り付けたことを特徴とする請求項１記載の表示装置。
【請求項３】
前記金属板を折り曲げた腕部に前記係止部を設け、前記腕部の自由端側から前記腕部の折り曲げ根元に向かって切り起こして成る前記係止部を備えたことを特徴とする請求項１あるいは請求項２記載の表示装置。
【発明の詳細な説明】
【０００１】
【発明の属する技術分野】
本発明は、多方向入力スイッチやロータリエンコーダ等の電気部品の表示装置に係り、特に該電気部品に具備される操作軸の操作状態をＬＥＤによって点灯表示する表示装置に関する。
【０００２】
【従来の技術】
従来よりこの種の電気部品に使われている表示装置として、図１０に示すように電気部品１に具備される操作軸１ａの先端に、つまみ２を装着し、前記電気部品１を装着しているプリント基板３に表示装置４を配置したものが提案されている。この表示装置４は、電気部品１を搭載したプリント基板３上に実装されたチップ状ＬＥＤ５と、その上面には該ＬＥＤ５の点灯光を、つまみ２の表示部２ａに導く導光体４ａとで構成されている。そして、前記表示部２ａはつまみ２の指針として形成されており、操作者がつまみ２を操作すると、そのつまみ２の操作位置を示す。
【０００３】
また、表示装置４は、導光体４ａが透明なアクリル樹脂等の材料で、上面４ｂとＬＥＤ収納口４ｃ以外の外周面を、筐体７の内面に形成した図示しない光拡散部材で覆って形成されて、プリント基板３と電気部品１の筐体１ｂの上面に接着剤６等により取り付けられている。このようにプリント基板３に取り付けられた表示装置４の導光体４ａは、ＬＥＤ収納口４ｃに、前記プリント基板に取り付けられたＬＥＤ５を収納して、このＬＥＤ５の点灯光を、前記光拡散部材の作用により内部で反射して拡散させて、ＬＥＤ５の点滅光の出口側である前記導光体４ａの上面４ｂから上方向の外部に照射される。そして、この外部に照射された光はつまみ２に形成されている表示部２ａを照射すると、操作者がつまみ２の上面からＬＥＤ５が点灯していることを確認することができる。
【０００４】
このような構成の従来の表示装置４では、ＬＥＤ５の点燈光が表示装置４の導光体４ａに導かれて、つまみ２の指針である表示部２ａを照射して点燈させることで、電気部品１の操作位置を確認することができる。そして、前記表示部２ａは、表面に文字または記号等が彫り込み、または、突起等により設けられ、材質は半透明のアクリル樹脂等で加工されて、前記文字または記号等が、前記表示装置４からの点燈光によって浮き上がって見えるようになっている。
【０００５】
【発明が解決しようとする課題】
しかしながら、上述した従来の表示装置４によれば、プリント基板３に取り付けられたＬＥＤ５の点燈光を導光体４ａの内部で光拡散させながら、上面４ｂの外部に導いている。しかし、導光体４ａは材質を透明材料を使い、且つ、外周面を光拡散部材で覆ってはいるが、ＬＥＤ５の点滅光の出口である導光体４ａの上面４ｂまでの距離が長いために、ＬＥＤ５の点燈光を効率よく全て上面４ｂに導くことは難しく、前記点燈光が導光体４ａの内部をを通過する間に点灯光が吸収されて、導光体４ａの上面４ｂから外部に照射されるＬＥＤ５の光の輝度が低下し、ＬＥＤ５が点灯しても前記表示部２ａに形成している文字または記号等が見えにくいという問題があった。
【０００６】
また、前記ＬＥＤ５の輝度が低下するのを見込んで、前記表示ユニット４を組み込むときに、最初からＬＥＤ５の輝度が高いものを使っていたのでコストアップになるという問題があった。
また、前記導光体４ａはプリント基板３と電気部品１の筐体１ｂに接着剤または両面粘着テープ６等により固定しているが、接着剤または両面粘着テープ６は取り扱いが面倒で、且つ、接着剤だと完全に接着されるまでに時間が掛かり、組立性が悪いという問題があった。
【０００７】
【課題を解決するための手段】
前記課題を解決するための第１の手段として、電気部品と、互いに所定の隙間を保持して同一平面に対向して配置された複数の金属板と、該複数の金属板のうち少なくとも２個の金属板間に架橋された照光部材とを備え、前記複数の金属板は、平面部を有する１つの共通の金属板と２つの導通端子付きの金属板でコの字状に配置され、前記各々の金属板が中央部に貫通穴を有し、合成樹脂より成る成形体で一体化されると共に、前記少なくとも２個の金属板には、前記照光部材を取り付けるための接続端子部を設け、前記照光部材を前記２個の金属板に半田付けすることにより前記導通端子付きの金属板と前記共通の金属板とを前記照光部材により電気的に接続し、前記複数の金属板に係止部を設け、該係止部を前記電気部品に係止すると共に、前記照光部材を前記電気部品の操作軸側に配置した構成とした。
また、前記課題を解決するための第２の手段として、前記金属板には前記照光部材を取り付けるための載置部を有すると共に、前記金属板の前記接続端子部を切り起こした突起で形成し、この突起に前記照光部材を半田付けにより取り付けた構成とした。
また、前記課題を解決するための第３の手段として、前記金属板を折り曲げた腕部に前記係止部を設け、前記腕部の自由端側から前記腕部の折り曲げ根元に向かって切り起こして成る前記係止部を備えた構成とした。
【０００８】
【発明の実施の形態】
以下、本発明の表示装置１０の一実施の形態について図１ないし図９を参照して説明する。図１ないし図５は本発明の表示装置を説明するもので、図６ないし図９は、本発明の表示装置を電気部品に取り付けたときの動作を説明するものである。
【０００９】
まず、図１ないし図５を参照して説明すると、平面部を有する共通の金属板１１は、平面部の外側の両隅部を下向きに折り曲げた、自由端を有する２つの腕部１１ａ・１１ａを備えている。そして、この腕部１１ａには金属板１１を後述する電気部品み２０に取り付けるために、前記自由端側から前記腕部１１ａの折り曲げ根元に向かって切り起こして成る取付部材としての係止部１１ｂが舌片状に形成されている。そして、この係止部１１ｂは、舌片状の先端を内向きに、くの字状に屈曲させた屈曲部１１ｃを形成している。
そして、前記係止部１１ｂの外周には細幅の溝１１ｅを形成し、係止部１１ｂの折り曲げを確実にして、屈曲部１１ｃの屈曲寸法の精度を向上させて、後述する電気部品２０に取り付けたときの取付強度のバラツキがないようにしている。
【００１０】
また、前記２つの腕部１１ａ・１１ａが形成されている反対側の内側部分には、２つの切り欠き部１１ｇ・１１ｇと、ＬＥＤ等からなる照光部材１６を取り付けるための載置部１１ｈ、１１ｊが、前記２つの切り欠き部１１ｇ・１１ｇを挟み前記照光部材１６の幅より狭い間隔をもってそれぞれ形成されている。そして、前記切り欠き部１１ｇに突起１１ｄが前記照光部材１６の接続端子として切り起こして上向きに形成されている。また、前記２つの切り欠き部１１ｇ・１１ｇが形成されている側の中央部には半円形状の切り込みがあり、金属板１１と後述する金属板１２・１３とを、連結部材から成る絶縁性の合成樹脂等を成形加工により形成した成形体１４で一体化して、その中央部には穴１５が形成されている。
【００１１】
また、前記金属板１１の一方側の切り欠き部１１ｇと対向する位置に、隙間Ｇ１を設けて金属板１２が前記金属板と同一平面で配置されている。そして、前記金属板１２は平面部を有して、照光部材１６を取り付けるための載置部１２ｈ、１２ｊが切り欠き部１２ｇを挟み前記照光部材１６の幅より狭い間隔をもって形成されている。そして、前記切り欠き部１２ｇには突起１２ｄが前記照光部材１６の接続端子として切り起こして上向きに形成されている。この突起１２ｄと前記金属板１１の一方側の突起１１ｄにより照光部材１６を位置決めし、且つ、載置部１２ｈ、１２ｊと前記金属板１１の一方側の載置部１１ｈ、１１ｊに照光部材１６を載置して半田付け等で取り付けている。
【００１２】
また、前記金属板１２は、前記切り欠き部１２ｇが形成されている反対側の隅部を下向きに折り曲げた、自由端を有する腕部１２ａを備えている。このとき該腕部１２ａは前記金属板１１の他方側の腕部１１ａと対向して折り曲げられている。そして、この腕部１２ａには金属板１２を取り付けるために、前記自由端側から前記腕部１２ａの折り曲げ根元に向かって切り起こして成る取付部材としての係止部１２ｂが舌片状に形成されている。そして、この係止部１２ｂは、舌片状の先端を内向きに、くの字状に屈曲させた屈曲部１２ｃを形成している。
そして、前記係止部１２ｂの外周には細幅の溝１２ｅを形成し、係止部１２ｂの折り曲げを確実にして、屈曲部１２ｃの屈曲寸法の精度を向上させて、後述する電気部品２０に取り付けたときの取付強度のバラツキがないようにしている。また、金属板１２の腕部１２ａが形成されている同じ側の他方には前記平面部を延長した導通端子１２ｆが、成形体１４の外側で下向きに折り曲げられて、その先端はプリント基板２１等に、半田付け等で取り付けることができるようになっている。
【００１３】
また、前記金属板１１の他方側の切り欠き部１１ｇと対向する位置に、隙間Ｇ２を設け、且つ、前記金属板１２と対向する位置には隙間Ｇ３を設けて金属板１３が前記金属板１１と同一平面に配置されている。そして、前記金属板１３は平面部を有して照光部材１６を取り付けるための載置部１３ｈ、１３ｊが切り欠き部１３ｇを挟み前記照光部材１６の幅より狭い間隔をもって、それぞれ形成されている。そして、前記切り欠き部１３ｇには突起１３ｄが前記照光部材１６の接続端子として切り起こして上向きに形成されている。この突起１３ｄと前記金属板１１の他方側の突起１１ｄにより照光部材１６を位置決めし、且つ、載置部１３ｈ、１３ｊと前記金属板１１の他方側の載置部１１ｈ、１１ｊに照光部材１６を載置して半田付け等で取り付けている。
また、前記金属板１３は、前記切り欠き部１３ｇが形成されている反対側の隅部を、下向きに折り曲げた自由端を有する腕部１３ａを備えている。このとき、該腕部１３ａは前記金属板１１の一方側の腕部１１ａと対向して折り曲げられている。そして、この腕部１３ａには金属板１３を取り付けるために、前記自由端側から前記腕部１３ａの折り曲げ根元に向かって切り起こして成る取付部材としての係止部１３ｂが舌片状に形成されている。そして、この係止部１３ｂは、舌片状の先端を内向きに、くの字状に屈曲させた屈曲部１３ｃを形成している。
【００１４】
そして、前記係止部１３ｂの外周には細幅の溝１３ｅを形成し、係止部１３ｂの折り曲げを確実にして、屈曲部１３ｃの屈曲寸法の精度を向上させて、後述する電気部品２０に取り付けたときの取付強度のバラツキがないようにしている。また、前記金属板１２と隙間Ｇ３を挟んで対向する側には前記平面部を延長した導通端子１３ｆが、成形体１４の外側で下向きに折り曲げられて、その先端はプリント基板２１等に、半田付け等で取り付けることができるようになっている。
また、照光部材１６はチップ状ＬＥＤ等から成り、照光部１６ａが取付板１６ｂに取り付けられて形成されている。そして、この照光部材１６は電気部品２０の操作に対応して照光部１６ａが点灯するような回路構成に成っている。そして、前記取付板１６ｂの長手方向の両端には前記金属板のそれぞれの突起１１ｄ・１１ｄ・１２ｄ・１３ｄに取り付けるための切り欠き溝が形成されて、この切り欠き溝を前記金属板の突起１１ｄ・１２ｄ・１３ｄに係合させると、照光部材１６は前記それぞれの金属板に位置決めされて載置されるようになっている。
【００１５】
以上３個の金属板１１・１２・１３は１個の金属板１１と、２個の端子付きの金属板とでコの字状に配置し、且つ、前記金属板１１・１２・１３を絶縁するために隙間Ｇ１・Ｇ２・Ｇ３を形成して成形体１４により一体化されている
。そして、その中央部には円形の穴１５が貫通して形成されて、後述する電気部品２０の操作軸２０ａが前記穴１５に位置するようになっている。また、前述したように前記成形体１４により一体化された、３個の金属板１１・１２・１３は、互いに電気的に絶縁されているが、金属板１１の一方側の載置部１１ｈ・１１ｊと金属板１２の載置部１２ｈ・１２ｊに前記照光部材１６を架橋して載置し、一方側の突起１１ｄと突起１２ｄとの間で前記照光部材１６を位置決めして、半田付け等で取り付けている。
また、金属板１１の他方側の載置部１１ｈ・１１ｊと金属板１３の載置部１３ｈ・１３ｊに前記照光部材１６を架橋して載置し、他方側の突起１１ｄと突起１３ｄとの間で前記照光部材１６を位置決めして、半田付け等で取り付けているので、金属板１２と金属板１１が、また、金属板１１と金属板１３が照光部材１６を介して電気的に接続されるので、導通端子１２ｆから導通端子１３ｆまでが電気的に導通した状態に成り、前記２つの照光部材１６、１６は直列接続される。
【００１６】
このような構成の本発明の表示装置１０を、操作軸２０ａ、筐体２０ｂ、および複数の端子２０ｃを備える電気部品２０に取り付けた時の相互の関係と動作を図６ないし図９を参照して説明する。
本発明の表示装置１０を前記電気部品２０に取り付けるには、まず、表示装置１０の穴１５に電気部品２０の操作軸２０ａを挿入し、次に表示装置１０の隅部に形成した腕部１１ａ・１１ａ・１２ａ・１３ａを前記電気部品２０の上方から筐体２０ｂの外周面に挿入すると、前記舌片状の係止部１１ｂ・１２ｂ・１３ｂの屈曲部１１ｃ・１２ｃ・１３ｃの先端が前記筐体２０ｂの前面の外周辺に当接する。このような状態の表示装置１０を、成形体１４の表面から人の手あるいは図示しない治具等で電気部品２０側に押し込むと、図８に示すように、前記それぞれの屈曲部１１ｃ１２ｃ・１３ｃの先端がバネ性によって筐体２０ｂの外周面に沿って押し広げられて、筐体２０ｂに押し込まれて、前記それぞれの屈曲部１１ｃ・１２ｃ・１３ｃの先端が筐体２０ｂの外周面に喰い込むように強固に取り付けられて、表示装置１０と電気部品２０の表面とは隙間なく取り付けられるので、外部からの振動等で電気部品２０から表示装置１０が外れることはない。
以上説明した前記係止部１１ｂ・１２ｂ・１３ｂに形成されている屈曲部１１ｃ・１２ｃ・１３ｃの形状は、くの字形状に限定されるものではなく湾曲形状でもよい。
【００１７】
このように、本発明の表示装置１０を取り付けた電気部品２０の一使用状態を説明すると、図９に示すように本発明の表示装置１０を取り付けた電気部品２０を、オーディオ機器等の装置側に取り付けられたパネル１９から電気部品２０の操作軸２０ａを突出させて、プリント基板２１等に取り付ける。そして、操作軸２０ａには、表示部１８ａを有する操作体１８が取り付けられている。
このようなオーディオ機器等に取り付けられた表示装置１０搭載の電気部品２０は、照光部材１６の点燈光が直接前記操作体１８の表示部１８ａの裏面を照射し、且つ、照光部材１６と表示部１８ａとの距離も短いので、前記照光部材１６からの照射光は、半透明の表示部１８ａを通過して表示部１８ａの表面を明るく点燈させることができる。また、前記表示部１８ａは半透明なアクリル樹脂等で、表面には文字あるいは記号等が彫り込みまたは突起させて設けられているので、照光部材１６からの点燈光によって、表示部１８ａの表面の文字あるいは記号等が浮き上がって見えるようになっている。
【００１８】
このような構成の表示装置１０は、チップ状ＬＥＤ等からなる照光部材１６を電気部品２０の操作軸２０ａ側に取り付けたので、照光部材１６の点燈光を操作体１８の表示部１８ａに直接明るく照射できるので、遠くから見ても電気部品２０が、操作体１８の操作に対応して動作しているかどうかの確認が誤りなく確実にできる。また、表示装置１０に係止部１１ｂ・１２ｂ・１３ｂを設けたので、電気部品２０への表示装置１０の取付が簡単になり組立時間が短縮できる。
【００１９】
【発明の効果】
以上説明したように、本発明の表示装置によれば、互いに所定の隙間を保持して同一平面に対向して配置された複数の金属板と、該複数の金属板のうち少なくとも２個の金属板間に架橋された照光部材とを備え、前記少なくとも２個の金属板には、前記照光部材を取り付けるための載置部と、前記照光部材と接続する接続端子部を設け、前記照光部材を前記２個の金属板に半田付けすることにより電気的に接続すると共に、前記複数の金属板を絶縁性の成形体からなる連結部材により一体的に結合したので、本発明の表示装置の取り扱いが簡単になり、本発明の表示装置を電気部品に取り付ける組立時間を短縮できる。
【００２０】
また、前記金属板を取り付けるための係止部を形成したので、該係止部によって表示装置を電気部品に取り付けることができるので、接着剤や両面粘着テープ等を使わなくても、本発明の表示装置を電気部品に簡単に取り付けることができるので、本発明の表示装置を搭載した電気部品をオーディオ機器等の装置に組み込むときの作業が容易になる。。
【００２１】
また、照光部材を電気部品の操作軸側に配設したので、操作軸に取り付けられた操作体の表示部と照光部材の距離を小さくすることができるので、前記表示部の表面に形成された文字あるいは記号を、前記照光部材の点灯により明るく表示することができる。よって、電気部品の操作が行われたかどうかを、本発明の表示装置によって誤りなく確実に確認することができる。
【００２２】
また、前記金属板には前記照光部材を取り付けるための載置部を有すると共に、前記金属板の前記接続端子部を切り起こした突起で形成し、この突起に前記照光部材を半田付けにより取り付けたので、前記照光部材を各々の金属部材の隙間の適正な位置に位置決めして取り付けることができるので、操作体の表示部と照光部材の関係位置をバラツキなくすることができるので、操作体の表示部を照射する点灯光は常に一定の光を照射することができる。
【００２３】
また、金属板を折り曲げた腕部に係止部を設け、前記腕部の自由端側から前記腕部の折り曲げ根元に向かって切り起こして成る係止部を備えたので、手作業でも簡単に挿入して取り付けることができる。また、前記電気部品に挿入して取り付けた本発明の表示装置を、電気部品から取ろうとすれば、舌片状の係止部の先端が、電気部品の筐体の外周面に喰い込むようになるので、電気部品に取付るのは簡単で、取り外すのは難しい表示装置を提供できる。
【００２４】
また、金属板は、１個の共通の金属板と２個の端子付の金属板でコの字状に配置し、前記端子付の金属板と前記共通の金属板とを照光部材により電気的に接続したので、前記照光部材の点灯光を電気部品の操作体の表示部に直接照射できるので、前記表示部を明るく表示できる。よって、本発明の表示装置では特別に輝度の高いＬＣＤを使わなくても良いので、コスト低減に効果がある。
【００２４】
また、前記複数の金属板を合成樹脂等により一体化したので、本発明の表示装置の取り扱いが容易になり、本発明の表示装置を電気部品へ取り付ける作業時間の短縮が図れる。
【図面の簡単な説明】
【図１】本発明の表示装置の正面図。
【図２】本発明の表示装置の平面図。
【図３】本発明の表示装置の表示部材を取り付ける前のユニットの平面図。
【図４】図３のＡ−Ａ断面図。
【図５】図３のＢ−Ｂ断面図。
【図６】本発明の表示装置を電気部品に取り付けた正面図。
【図７】本発明の表示装置を電気部品に取り付けた平面図。
【図８】本発明の表示装置を電気部品に取り付けたときの要部断面図。
【図９】本発明の表示装置を電気部品に取り付けてオーディオ装置等に組み込んだ１実施例を説明するための概略図。
【図１０】従来の表示装置の実施例を説明する概略図。
【符号の説明】
１  電気部品
１ａ  操作軸
１ｂ  筐体
２  つまみ
３  プリント基板
４  従来の表示装置
４ａ  導光体
４ｂ  上面
４ｃ  ＬＥＤ収納口
５  ＬＥＤ
６  接着剤
７  パネル
１０  本発明の表示装置
１１  金属板
１１ａ  腕部
１１ｂ  係止部
１１ｃ  屈曲部
１１ｄ  突起
１１ｅ  溝
１２  金属板
１２ａ  腕部
１２ｂ  係止部
１２ｃ  屈曲部
１２ｄ  突起
１２ｅ  溝
１２ｆ  導通端子
１３  金属板
１３ａ  腕部
１３ｂ  係止部
１３ｃ  屈曲部
１３ｄ  突起
１３ｅ  溝
１３ｆ  導通端子
１４  成形体
１５  穴
１６  照光部材
１６ａ  照光部
１６ｂ  取付板
１７  半田
１８  操作体
１８ａ  表示部
１９  パネル
２０  電気部品
２０ａ  操作軸
２０ｂ  筐体
２０ｃ  端子
２１  プリント基板
【図１】
0003809221.tif 000002
【図２】
0003809221.tif 000003
【図３】
0003809221.tif 000004
【図４】
0003809221.tif 000005
【図５】
0003809221.tif 000006
【図６】
0003809221.tif 000007
【図７】
0003809221.tif 000008
【図８】
0003809221.tif 000009
【図９】
0003809221.tif 000010
【図１０】
0003809221.tif 000011